(57)【要約】【課題】  受信したデータが停電等の原因によって消失しないようにする。【解決手段】  画像処理装置１は、揮発性メモリのＲＡＭ１１と不揮発性メモリのＨＤＤ７を有し、ＣＰＵ１０は、通信回線網９からファクシミリ受信したデータを通信部１２によって復調してＲＡＭ１１に保存した後、通信部１２を介して送信元へ受信完了通知を発行し、その発行後に、ＲＡＭ１１に保存されたファクシミリ受信データを読み出し、全体制御部２を介してＨＤＤ７へ保存する。【選択図】        図１
2011055412.tif 000002
【特許請求の範囲】
【請求項１】
揮発性メモリと不揮発性メモリとを有し、受信したデータを前記揮発性メモリに保存した後、前記受信したデータの送信元へ受信完了通知を発行し、該発行後に前記揮発性メモリに保存されたデータを前記不揮発性メモリへ保存する制御手段を備えたことを特徴とする通信装置。
【請求項２】
前記不揮発性メモリにデータが保存される前に自装置への給電が遮断された場合でも前記揮発性メモリのデータが消去されないように給電する給電手段を設けたことを特徴とする請求項１記載の通信装置。
【請求項３】
前記揮発性メモリに保存されたデータが消去されてしまったことを示す情報を保存する新たな揮発性メモリと、自装置への給電が遮断された場合でも前記新たな揮発性メモリの情報が消去されないように給電する新たな給電手段とを設けたことを特徴とする請求項１又は２記載の通信装置。
【請求項４】
自装置への給電が遮断された後に再度給電が開始された場合、前記揮発性メモリに保存されたデータが消去されたことを通知する通知手段を設けたことを特徴とする請求項３記載の通信装置。
【請求項５】
揮発性メモリと不揮発性メモリとを有した通信装置のデータ保存方法であって、受信したデータを前記揮発性メモリに保存した後、前記受信したデータの送信元へ受信完了通知を発行し、該発行後に前記揮発性メモリに保存されたデータを前記不揮発性メモリへ保存することを特徴とする通信装置のデータ保存方法。
【請求項６】
前記不揮発性メモリにデータが保存される前に自装置への給電が遮断された場合でも前記揮発性メモリのデータが消去されないように給電することを特徴とする請求項５記載の通信装置のデータ保存方法。
【請求項７】
請求項５又は６記載の通信装置のデータ保存方法において、前記通信装置に前記揮発性メモリに保存されたデータが消去されてしまったことを示す情報を保存する新たな揮発性メモリを設け、自装置への給電が遮断された場合でも前記新たな揮発性メモリの情報が消去されないように給電することを特徴とする通信装置のデータ保存方法。
【請求項８】
自装置への給電が遮断された後に再度給電が開始された場合、前記揮発性メモリに保存されたデータが消去されたことを通知することを特徴とする請求項７記載の通信装置のデータ保存方法。
【発明の詳細な説明】
【技術分野】
【０００１】
この発明は、データ通信又はファクシミリ通信可能なファクシミリ装置と複写機と複合機等の画像形成装置を含む通信装置とその通信装置のデータ保存方法に関する。
【背景技術】
【０００２】
外部からデータを受信できる通信装置として、例えば、ファクシミリ通信可能なファクシミリ装置や、データ通信又はファクシミリ通信可能な複写機と複合機を含む画像処理装置（「画像形成装置」ともいう）などがよく知られている。
例えば、従来のファクシミリ装置では、ＦＡＸコントローラユニット（「ＦＣＵ」と略称する）の内に設けたＳＤＲＡＭ等の揮発性メモリ内にファクシミリ送信データ及びファクシミリ受信データを保存していた。
【０００３】
上記のようなファクシミリ装置を含む従来の画像処理装置では、停電などにより、商用電源からの給電がオフになってしまうと、揮発性メモリへの給電もストップしてしまい、揮発性メモリ内に保存されているファクシミリ送信データ及びファクシミリ受信データを含むデータが消去されてしまうという問題があった。
そこで、停電を含む何らかの原因によって商用電源からの給電がオフになった場合、揮発性メモリに対して給電する２次電池等のバックアップ電源を設け、揮発性メモリ内のデータを保存できるようにした画像処理装置が提案されている。
【０００４】
しかしながら、上述のようなバックアップ電源は、バッテリー容量がオーバー（この「バッテリー容量のオーバー」とは、放電や使用による経時的なバッテリー容量の低下を言う。）してしまった場合、揮発性メモリへの給電量が十分でなくなったり給電が停止したりして、揮発性メモリ内のデータが消去してしまうという問題があった。
そこで、従来、揮発性メモリのデータのバックアップ動作時には、バックアップ電源の出力電圧の電力損失が最小限となるように最適化することにより、バックアップ電源の給電時間を延ばすようにした画像処理装置（例えば、特許文献１参照）があった。
また、停電時には、ＤＣ電源を内蔵したメモリデバイスが接続されていることを検知した場合、揮発性メモリ内のデータを上記メモリデバイスに転送してバックアップするようにした画像処理装置（例えば、特許文献２参照）があった。
【発明の概要】
【発明が解決しようとする課題】
【０００５】
しかしながら、上述したバックアップ電源の給電時間を延ばすようにした従来の画像処理装置では、商用電源からの給電の復旧に時間が掛かれば、いずれバックアップ電源のバッテリー容量のオーバーは避けられず、その場合は揮発性メモリ内のデータが消去してしまうという問題があった。
また、外部に接続したメモリデバイスに揮発性メモリ内のデータを転送してバックアップする従来の画像処理装置では、停電時にＤＣ電源を内蔵したメモリデバイスが接続されていることを検知できなければバックアップ動作はできないので、その場合は揮発性メモリ内のデータが消去してしまうという問題があった。
この発明は上記の点に鑑みてなされたものであり、受信したデータが停電等の原因によって消失しないようにバックアップすることを目的とする。
【課題を解決するための手段】
【０００６】
この発明は上記の目的を達成するため、揮発性メモリと不揮発性メモリとを有し、受信したデータを上記揮発性メモリに保存した後、上記受信したデータの送信元へ受信完了通知を発行し、その発行後に上記揮発性メモリに保存されたデータを上記不揮発性メモリへ保存する制御手段を備えた通信装置を提供する。
また、上記不揮発性メモリにデータが保存される前に自装置への給電が遮断された場合でも上記揮発性メモリのデータが消去されないように給電する給電手段を設けるとよい。
さらに、上記揮発性メモリに保存されたデータが消去されてしまったことを示す情報を保存する新たな揮発性メモリと、自装置への給電が遮断された場合でも上記新たな揮発性メモリの情報が消去されないように給電する新たな給電手段を設けるとよい。
また、自装置への給電が遮断された後に再度給電が開始された場合、上記揮発性メモリに保存されたデータが消去されたことを通知する通知手段を設けるとよい。
【０００７】
さらに、揮発性メモリと不揮発性メモリとを有した通信装置のデータ保存方法であって、受信したデータを上記揮発性メモリに保存した後、上記受信したデータの送信元へ受信完了通知を発行し、その発行後に上記揮発性メモリに保存されたデータを上記不揮発性メモリへ保存する通信装置のデータ保存方法も提供する。
また、上記のようなデータ保存方法において、上記不揮発性メモリにデータが保存される前に自装置への給電が遮断された場合でも上記揮発性メモリのデータが消去されないように給電するとよい。
さらに、上記のようなデータ保存方法において、上記通信装置に上記揮発性メモリに保存されたデータが消去されてしまったことを示す情報を保存する新たな揮発性メモリを設け、自装置への給電が遮断された場合でも上記新たな揮発性メモリの情報が消去されないように給電するとよい。
また、上記のようなデータ保存方法において、自装置への給電が遮断された後に再度給電が開始された場合、上記揮発性メモリに保存されたデータが消去されたことを通知するとよい。
【発明の効果】
【０００８】
この発明による通信装置と通信装置のデータ保存方法は、受信したデータが停電等の原因によって消失しないようにバックアップすることができる。
【図面の簡単な説明】
【０００９】
【図１】この発明の実施例の画像処理装置の機能構成を示すブロック図である。
【図２】この発明の通信装置の参考技術である画像処理装置の機能構成を示すブロック図である。
【図３】この発明の実施例の画像処理装置におけるファクシミリ受信時の処理を示すタイミングチャート図である。
【００１０】
【図４】この発明の実施例の画像処理装置におけるファクシミリ受信時の他の処理を示すタイミングチャート図である。
【図５】この発明の他の実施例の画像処理装置の機能構成を示すブロック図である。
【図６】この発明の他の実施例の画像処理装置におけるファクシミリ受信時の処理を示すタイミングチャート図である。
【発明を実施するための形態】
【００１１】
以下、この発明を実施するための形態を図面に基づいて具体的に説明する。
〔実施例〕
この発明の通信装置と通信装置のデータ保存方法の実施例である画像処理装置の特徴を明確にするために、まず、参考技術の画像処理装置について説明する。
図２は、参考技術の画像処理装置の機能構成を示すブロック図である。
この参考技術の画像処理装置１は、ファクシミリ装置，データ通信又はファクシミリ通信機能を備えた複写機，複合機を含む画像形成装置であり、全体制御部２，読取部３，画像処理部４，書込部５，ファクシミリ制御部６を備えている。上記ファクシミリ制御部６は、ＣＰＵ１０，ＲＡＭ１１，通信部１２，ＲＡＭバックアップ回路１３，２次電池１４を備えている。
【００１２】
全体制御部２は、マイクロコンピュータであり、この画像処理装置１の全体の制御を司る。読取部３は、原稿の画像を読み取り、その画像データを装置内に取り込むスキャナ装置である。書込部５は、画像データ，ファクシミリ受信データを含む各種のデータを印刷する印刷装置である。
【００１３】
ファクシミリ制御部６は、ファクシミリ送受信の制御を司るマイクロコンピュータである。ＣＰＵ１０は、ファクシミリ送受信の制御と全体制御部２とのデータのやり取りの制御を司り、ＲＡＭ１１は、ファクシミリ送信データ及びファクシミリ受信データを記憶して保存する不揮発性メモリである。また、通信部１２は、ファクシミリ送信データの変調と、ファクシミリ受信データの復調を行う。ＲＡＭバックアップ回路１３は、２次電池１４の電力をＲＡＭ１１に供給することにより、停電等の原因により画像処理装置１への商用電源からの給電がオフになった（通電が遮断された）ときでも、ＲＡＭ１１内のデータを保持できるようにする。２次電池１４は、ＲＡＭバックアップ回路１３により、画像処理装置１への商用電源からの給電があるときには、満充電される。
【００１４】
この参考技術の画像処理装置１におけるファクシミリ送信処理では、読取部３で読み取った画像データを、画像処理部４で画像加工し、全体制御部２を経由し、ファクシミリ制御部６内のＣＰＵ１０を経由し、ファクシミリ送信データとしてＲＡＭ１１に保存する。
その後、ＣＰＵ１０は、通信部１２を介して通信回線網９上のファクシミリ送信宛と通信接続ができたら、ＲＡＭ１１に保存されたファクシミリ送信データを読み出し、通信部１２で変調して、通信回線網９上のファクシミリ送信宛へファクシミリ送信する。
また、ファクシミリ受信処理では、通信部１２は、通信回線網９上のファクシミリ送信元からのファクシミリ受信データを受信するとそれを復調してＣＰＵ１０へ送り、ＣＰＵ１０はそのファクシミリ受信データを揮発性メモリのＲＡＭ１１に保存する。
その後、全体制御部２がファクシミリ受信データを印刷すると判断した場合、ＲＡＭ１１のファクシミリ受信データを、ＣＰＵ１０，全体制御部２，画像処理部４を経由させて書込部５に送り、書込部５において印刷する。
【００１５】
上述のような参考技術の画像処理装置１では、停電などの原因により電源オフ（通電が遮断）された場合、ＲＡＭ１１の動作電源が停止（オフ）した場合、ＲＡＭバックアップ回路１３によってＲＡＭ１１に対して２次電池１４から電力を供給することにより、ＲＡＭ１１内に保存されたファクシミリ受信データを保護することができる。
しかし、２次電池１４のバッテリー容量には限界があり、画像処理装置１の電源オフ時間が長引けば、いずれバッテリー容量が切れてしまい、ＲＡＭ１１に保存されたファクシミリ受信データは消去されてしまう。
そこで、この発明の通信装置の実施例である画像処理装置１は、装置内部に設けた不揮発性メモリにファクシミリ送信データ及びファクシミリ受信データを保存することにより、停電などの原因により電源オフがあってもデータを保存できるようにする。
【００１６】
図１は、この発明の実施例の画像処理装置の機能構成を示すブロック図である。図２と共通する部分には、同一符号を付してその詳細な説明は省略する。
この発明の実施例の画像処理装置１は、不揮発性メモリであるハードディスク装置（ＨＤＤ）７を備えている。このＨＤＤ７については、近年は文書データのデータの蓄積等に使用するため、予め備えている画像処理装置も多く、そのような画像処理装置では、既存のＨＤＤを利用することができる。
この画像処理装置１は、ファクシミリ送信データ及びファクシミリ受信データを、ＲＡＭ１１に保存したままにせず、ＨＤＤ７に保存するようにしている。
【００１７】
次に、この画像処理装置１におけるファクシミリ送受信処理について説明する。
ファクシミリ送信処理では、読取部３から入力された画像データを画像処理部４で所定の画像処理を施し、全体制御部２によってファクシミリ送信データとしてＨＤＤ７へ保存する。さらに、ＣＰＵ１０へ送り、ＣＰＵ１０はＲＡＭ１１へ格納する。そして、ファクシミリ制御部６のＣＰＵ１０は、通信回線網９上のファクシミリ送信宛と通信接続ができたら、ＲＡＭ１１から読み出したファクシミリ送信データを通信部１２へ送り、通信部１２は復調してファクシミリ送信宛へファクシミリ送信する。
また、ファクシミリ受信処理では、通信部１２は、通信回線網９上のファクシミリ送信元からのファクシミリ受信データを受信するとそれを復調してＣＰＵ１０へ送り、ＣＰＵ１０はそのファクシミリ受信データを揮発性メモリのＲＡＭ１１に保存する。
【００１８】
このＲＡＭ１１は、ＲＡＭバックアップ回路１３によって２次電池１４から電力が供給され、突然電源オフになってもＲＡＭ１１内に保存されたファクシミリ受信データは保護される。
さらに、ＲＡＭ１１に保存後は、全体制御部２へも送り、全体制御部２は、ファクシミリ受信データを不揮発性メモリであるＨＤＤ７に保存する。
このようにして、不揮発性メモリであるＨＤＤ７にファクシミリ送信データ，ファクシミリ受信データを保存することにより、画像処理装置１は停電になっても、２次電池１４のバッテリ容量の限界を心配することなく、データを半永久的に保持することができる。
【００１９】
さらに、ファクシミリ通信のプロトコルでは、ファクシミリ受信動作のとき、１ページのファクシミリ受信データを受信すると送信元へ、ページのデータを受信したことを知らせると共に、次のページのデータがあったらその送信を要求するための受信完了通知を発行しなければならないことが規定されている。
また、１ページのデータの送信には所定時間内に済ませることも規定されている。
したがって、画像処理装置１がファクシミリ受信した後、送信元に対して受信完了通知を発行しなかったり、その発行が所定時間内にできなかったりすると、送信元では画像処理装置１へファクシミリ送信できなかったと判断して、ファクシミリ送信のリトライを行うため、既にＨＤＤ７に保存されたファクシミリ受信データが再度送られてしまったり、このような冗長な処理のためにファクシミリ送受信のリアルタイム性が損なわれてしまったりするという問題が発生する。
【００２０】
さらに、この画像処理装置１では、ファクシミリ送受信機能だけでなく、コピー機能，スキャナ機能，プリンタ機能といった多様な機能（これらの機能については、公知なのでその詳細な説明を省略する。）を持っており、ＨＤＤ７を用いて、ファクシミリ送信データ及びファクシミリ受信データの保存以外に、コピーデータ，スキャナデータ，プリンタデータの保存も行うため、動作状況によっては、例えば、コピー中にファクシミリ受信が行われた場合、ファクシミリ受信データを直ちにＨＤＤ７に保存できない場合もあり、そのような場合では、送信元へ所定時間内に受信完了通知を通知できなくなってしまうため、上述のような問題が生じる。
【００２１】
さらにまた、この画像処理装置１に対して、ファクシミリ回線を１回線だけでなく、複数回線を搭載した場合、同時に複数のファクシミリ受信があったときには、それぞれのファクシミリ受信データをＨＤＤ７へ書き込む際の速度が遅くなり、いずれかの送信元へには所定時間内に受信完了通知を通知できなくなってしまう恐れもある。
このように、ファクシミリ受信データをＨＤＤ７に保存するようにした場合、ファクシミリ受信動作時、送信元への受信完了通知を確実に実施する必要がある。
【００２２】
そこで、この実施例の画像処理装置１では、ＲＡＭ１１にファクシミリ受信データを格納すると、ＨＤＤ７へ転送する前に、送信元への受信完了通知を行うようにしている。
図３は、この実施例の画像処理装置におけるファクシミリ受信時の処理を示すタイミングチャート図である。
ファクシミリ受信時、通信回線網９から受信したファクシミリ受信データ（図中「データ」と省略する）を、通信部１２で復調し、ＣＰＵ１０はＲＡＭ１１に保存する。その後、直ちに（ファクシミリ通信のプロトコルで規定された時間内に）、通信部１２を介して通信回線網９上の送信元へ受信完了通知信号を発行する。その発行後、ＲＡＭ１１に保存したファクシミリ受信データを読み出してＨＤＤ７へ保存する。
【００２３】
このようにして、送信元に無用なリトライ送信処理を行わせずに済み、ファクシミリ受信のリアルタイム性も確保することができる。
また、ＨＤＤ７へのデータの保存後に、電源オフになった場合、２次電池のバックアップによりＲＡＭ１１内にデータは保持されるが、バッテリ容量がオーバーしたとしても、ＨＤＤ７にデータが保存済みなので、画像処理装置１の電源が再度オンになったときに、ＨＤＤ７のデータに基づいて印刷することができる。
【００２４】
次に、この実施例の画像処理装置１では、例えば、１ページ目のデータをファクシミリ受信し、ＲＡＭ１１内に一度保存し、送信元に対して１ページ目のデータを受信したことを示すと共に２ページ目のデータを要求する受信完了通知信号を送信し、その後、ＲＡＭ１１に保存されたファクシミリ受信データをＨＤＤ７に転送する前に、画像処理装置１への給電が停止してしまった場合はどのようになるかである。
このような場合でも、ＲＡＭ１１はＲＡＭバックアップ回路１３によって２次電池１４からの電力供給を受けているので、突然電源がオフになっても、それと共にＲＡＭ１１に保存されたファクシミリ受信データが消失することはなく、電源オフ後もＲＡＭ１１内のファクシミリ受信データを保持することができる。
そして、再び電源オン時に、ＲＡＭ１１内に保存していたファクシミリ受信データを、あらためてＨＤＤ７に保存することができる。
【００２５】
次に、上述の場合でも、２次電池１４のバッテリー容量がオーバーしてしまうと、ＨＤＤ７への転送前にＲＡＭ１１のファクシミリ受信データが消去されてしまう。
例えば、図４に示すように、画像形成装置１は、送信元から受信した受信データを、ＲＡＭ１１に一旦保存するが、ＲＡＭ１１に保存されたファクシミリ受信データは停電等で電源がオフになってしまい、ＲＡＭ１１の動作電源の供給がストップしてしまうと、ファクシミリ受信データが消去されてしまうため、２次電池１４を電源にＲＡＭバックアップ回路１３から電源供給を行うことで、ＲＡＭ１１に保存されたファクシミリ受信データを保護している。
【００２６】
しかし、２次電池１４のバッテリー容量にも限界があり、バッテリーが切れてしまうと、ＲＡＭ１１に保存されたファクシミリ受信データは消去されてしまう。
この場合、既に送信元に対して受信完了通知を発行してしまったので、送信元からの再送信等の措置は実施されないし、ＲＡＭ１１にファクシミリ受信データが保存されていたのかもわからなくなるので、送信元に対して再送信依頼もできなくなる。
そこで、上述した実施例の画像処理装置１に、ＲＡＭ１１内のファクシミリ受信データが消失しても、その消失したことが分るようにする手段をさらに設けると良い。
【００２７】
図５は、この発明の他の実施例の画像処理装置の機能構成を示すブロック図である。図１及び図２と共通する部分には、同一符号を付してその詳細な説明は省略する。
図５に示すように、この画像処理装置１には、ファクシミリ制御部６内に、揮発性メモリのＲＡＭ１５，ＲＡＭバックアップ回路１６，１次電池１７，電池電圧検出回路１８の各部を新たに設けており、さらに、ＣＰＵ１０内のレジスタ１９も利用するようにしている。
上記ＲＡＭ１５は、ＲＡＭ１１に保存したファクシミリ受信データが消去されてしまったことを示す情報を保存するためのメモリである。
【００２８】
また、上記ＲＡＭバックアップ回路１６は、１次電池１７からの電力をＲＡＭ１５に供給する。上記１次電池１７は、例えば、予め蓄電された電池を利用すると良い。
上記電池電圧検出回路１８は、２次電池１４の出力電圧値を検出し、ＣＰＵ１０へ送る。この電池電圧検出回路１８は、電源オフ時にはＲＡＭバックアップ回路１３によって２次電池１４からの給電を受けるようにすれば、電源オフ時でも動作できる。
レジスタ１９は、ＲＡＭ１５内に情報が保存されていることを示すフラグを格納するメモリであり、ＲＡＭバックアップ回路１６によって１次電池１７からの給電を受けているので、電源オフ時でも、内部のデータを保持することができる。
【００２９】
次に、この発明の他の実施例の画像処理装置１におけるファクシミリ受信時の処理を説明する。
図６に示すように、画像形成装置１のＣＰＵ１０は、上述と同様にして送信元からファクシミリ受信したファクシミリ受信データ（図中「データ」と略称する）をＲＡＭ１１に保存した後、送信元へ受信完了通知を発行する。
受信完了通知の発行後、ＲＡＭ１１に保存したファクシミリ受信データをＨＤＤ７へ転送する前に、停電等で電源がオフになってしまった場合でも、ＲＡＭ１１にはＲＡＭバックアップ回路１３による２次電池１４からの電力が供給されており、ＲＡＭ１１のファクシミリ受信データは保持される。さらに、ＣＰＵ１０にもＲＡＭバックアップ回路１３による２次電池１４からの電力が供給されている。
しかし、２次電池１４のバッテリー容量にも限界があり、バッテリーが切れてしまうと、ＲＡＭ１１に保存されたファクシミリ受信データは消去されてしまう。
【００３０】
そこで、電池電圧検出回路１８によって２次電池１４の電圧値を検出してＣＰＵ１０に送る。上記電池電圧検出回路１８は、例えば、通常動作時は、画像処理装置１に給電される通常の電源により動作し、電源オフ時にはＲＡＭバックアップ回路１３による２次電池１４からの電力が供給されて動作するようにするとよい。
ＣＰＵ１０は、２次電池１４の電圧値が予め設定した電圧値よりも低下した場合（これにより残量が所定量以下になったことを判断できる）、ＲＡＭ１５に、ＲＡＭ１１に保存されているファクシミリ受信データが消去されてしまったことを示す情報（この情報には、送信元の情報も含めると良い）を保存すると共に、ＣＰＵ１０内のレジスタ１９に、ＲＡＭ１５に情報が保存されていることを示すフラグを保存する。ＲＡＭ１５とレジスタ１９には、ＲＡＭバックアップ回路１６を介して１次電池１７の出力電力が給電されており、電源オフ時でもそれぞれの内容は保持される。
【００３１】
その後、２次電池１４の残量が無くなってＲＡＭ１１のファクシミリ受信データが消去されてしまった場合でも、ＲＡＭ１５の情報は保持され続ける。
そして、再度電源オンになったとき、受信者に対して、データが消去されたことを通知することができ、送信元へ再送信を要求して再度取得することもできる。
次に画像形成装置１への給電が再開したとき（すなわち、自装置への給電が遮断された後に再度給電が開始された場合）、ＣＰＵ１０は内部のレジスタ１９にフラグが立っていることを認識し、ＲＡＭ１５に情報が保持されていると判断すると、ＲＡＭ１５からＲＡＭ１１のファクシミリ受信データが消失されてしまったことを示す情報を読み込み、画像処理装置１の図示を省略する表示部に、ＲＡＭ１１内のファクシミリ受信データが消去されたことを知らせるメッセージ（送信元を示す情報も含む）を表示して通知する（すなわち、ＣＰＵ１０が上記通知手段の機能を果たす）。また、図示を省略した印刷部によって上記メッセージを印刷して通知する。
【００３２】
上述の実施例では、画像処理装置１には電源オフを検出する検出手段はないが、画像処理装置１の電源オン時は、ＲＡＭ１１及びＲＡＭ１５に電力を供給しながら、２次電池１４を充電しつつ、かつ２次電池１４はＲＡＭ１１，又はＣＰＵ１０，電池電圧検出回路１８へ給電しており、電源オフ時でも、ＲＡＭ１１内のデータの保持、又はＣＰＵ１０，電池電圧検出回路１８の動作を確保する。
したがって、電源オフを検出する検出手段を設けなくても、画像処理装置１への給電が突然遮断された場合でも、ＲＡＭ１１のファクシミリ受信データの保持と、ＲＡＭ１５へのＲＡＭ１１内に保存したファクシミリ受信データが消去されたことを示す情報の書き込み動作とを実行できる。
【００３３】
また、１次電池１７が切れてしまうような場合を想定したときの対処方法として、例えば、画像処理装置１の製品保証期間中は、ＲＡＭ１５で保存しているデータをバックアップできるように、１次電池１７の容量とＲＡＭ１５が消費する消費電力のスペックを決めるとよい。
さらに、１次電池１７のバッテリ容量をより節約するためにＲＡＭ１５に保存する情報量を少なくするようにすると良い。
一般的には、画像データよりファクシミリ受信データが消去されてしまったことを示す情報の方が圧倒的に情報量が少ないので、消費電力が小さい、小容量のＲＡＭを選択することが出来る。
【００３４】
このようにして、画像処理装置１でファクシミリ受信データが消去されてしまってファクシミリ受信したことが不明になるような状態を回避することができる。
また、受信者に対して、ファクシミリ受信データを２次電池のバックアップで保持できなかった場合でも、電源オンが再開されたときにデータが消去されたことを通知するので、送信元に対して再度データ送信を依頼することができる。
したがって、送信者側は送ったつもりなのに、受信者側は送信された事実すら分らないと言った状況を回避することができる。
【産業上の利用可能性】
【００３５】
この発明による通信装置と通信装置のデータ保存方法は、データ通信又はファクシミリ通信可能なファクシミリ装置と複写機と複合機等の画像形成装置を含む装置に対して適用することができる。
【符号の説明】
【００３６】
１：画像処理装置    ２：全体制御部    ３：読取部    ４：画像処理部    ５：書込部    ６：ファクシミリ制御部    ７：ＨＤＤ    １０：ＣＰＵ    １１，１５：ＲＡＭ    １２：通信部    １３，１６：ＲＡＭバックアップ回路    １４：２次電池    １７：１次電池    １８：電池電圧検出回路    １９：レジスタ
【先行技術文献】
【特許文献】
【００３７】
【特許文献１】特開２００７−３３６７９５号公報
【特許文献２】特開２００６−１６６０４４号公報
【図１】
2011055412.tif 000003
【図２】
2011055412.tif 000004
【図３】
2011055412.tif 000005
【図４】
2011055412.tif 000006
【図５】
2011055412.tif 000007
【図６】
2011055412.tif 000008